(57)【要約】【課題】結線を解除する際に、端子部及び基板に悪影響を与えるのを防止することのできる分電盤を提供する。【解決手段】ＤＣ／ＤＣコンバータＡ１等の内部機器が収納される盤本体１と、盤本体１に収納されるとともに直流負荷Ｃへの配線用電線が接続される速結端子構造の端子部２と、端子部２が実装される基板３と、端子部２及び基板３とが収納されるケース４とを備え、端子部２は、一面に配線用電線が挿入される電線挿入孔２１及び鎖錠部による配線用電線の抜け止めを解除する解除部を操作するための工具Ｔが挿入される解除孔２２が設けられた器体２０を備え、ケース４には、器体２０の前記一面を外部に臨ませる窓孔４０が設けられ、窓孔４０に、少なくとも器体２０の前記一面側の端部が挿入される。【選択図】図１
2011234440.tif 000002
【特許請求の範囲】
【請求項１】
内部機器が収納される盤本体と、外部負荷への配線用電線が接続される速結端子構造の端子部と、前記端子部が実装される基板と、前記盤本体に収納されるとともに前記端子部及び前記基板とを収納するケースとを備え、前記端子部は、一面に前記配線用電線が挿入される電線挿入孔が設けられた器体を備え、前記器体の内部には、前記電線挿入孔に挿入される前記配線用電線が接触導通する端子板と、前記端子板との間で前記配線用電線を挟持して抜け止めする鎖錠部と、前記鎖錠部による前記配線用電線の抜け止めを解除する解除部が設けられ、前記器体の前記一面には、前記解除部を操作するための工具が挿入される解除孔が設けられ、前記ケースには、前記器体の前記一面を外部に臨ませる窓孔が設けられ、前記窓孔に、少なくとも前記器体の前記一面側の端部が挿入されることを特徴とする分電盤。
【請求項２】
前記ケースには、前記窓孔の内周壁と一体に形成されて前記工具の先端部を前記解除孔に案内するためのテーパを有するリブが設けられたことを特徴とする請求項１記載の分電盤。
【発明の詳細な説明】
【技術分野】
【０００１】
本発明は、内部機器を収納する盤本体を有する分電盤に関する。
【背景技術】
【０００２】
従来から、商用電源から供給される交流電力と、直流発電設備から供給される直流電力とを協調させる配電システムが知られており、例えば、特許文献１に開示されている。この配電システムは、交流電力により駆動される交流機器に給電する交流給電路が接続される交流分電盤と、直流電力により駆動される直流機器に給電する直流給電路が接続される直流分電盤とを備えている。直流分電盤は、太陽光発電装置や燃料電池のような直流発電設備から直流電力を受電するとともに、出力電圧を調節して直流給電路に出力する複数のＤＣ−ＤＣコンバータを備える。また、直流分電盤には、交流分電盤に設けられた分岐ブレーカを通して供給される商用電源からの交流電力を直流電力に変換して出力するＡＣ−ＤＣコンバータも備える。これらＤＣ−ＤＣコンバータ、及びＡＣ−ＤＣコンバータの出力は、複数台のサーキットプロテクタを介して複数系統の直流給電路に供給されるようになっている。
【０００３】
ここで、上述のような配電システムの直流分電盤では、電線を誤って接続するのを回避するために、交流分電盤への給電経路に接続される端子部と、直流機器への給電経路に接続される端子部とを識別できるようにしている。各端子部を識別する手段としては、例えば前者の端子部にねじ式端子台を採用し、後者の端子部に速結端子構造を採用することが考えられる。尚、ねじ式端子台及び速結端子構造は従来周知であり、速結端子構造は例えば特許文献２に開示されている。
【先行技術文献】
【特許文献】
【０００４】
【特許文献１】特開２０１０−４１７８２号公報
【特許文献２】特開２００１−２１０３９３号公報
【発明の概要】
【発明が解決しようとする課題】
【０００５】
ところで、上述のように速結端子構造を有する端子部に結線した場合には、その結線を解除するには端子部に設けられた解除釦を押圧する必要があり、この解除釦を押圧するためにマイナスドライバー等の工具を用いる。このとき、図５に示すように、工具Ｔの先端部で端子部１００に設けられた解除釦（図示せず）を押圧することで結線を解除できるが、解除釦が小さく押し辛い場合には、解除釦を押圧し易くするために、工具Ｔを斜めに傾けた状態で解除釦を押圧しなければならない。
【０００６】
しかしながら、上述のように工具Ｔを斜めに傾けた状態で解除釦を押圧する場合には、端子部１００の工具Ｔと当接する部位に応力が掛かることにより端子部１００が変位する虞があった。このとき、端子部１００は基板１０１に実装されているため、端子部１００が変位することで基板１０１にも応力が掛かり、端子部１００と基板１０１との接合が弱くなる等して端子部１００及び基板１０１に悪影響を与える虞があった。
【０００７】
本発明は、上記の点に鑑みて為されたもので、結線を解除する際に、端子部及び基板に悪影響を与えるのを防止することのできる分電盤を提供することを目的とする。
【課題を解決するための手段】
【０００８】
本発明の分電盤は、内部機器が収納される盤本体と、外部負荷への配線用電線が接続される速結端子構造の端子部と、前記端子部が実装される基板と、前記盤本体に収納されるとともに前記端子部及び前記基板とを収納するケースとを備え、前記端子部は、一面に前記配線用電線が挿入される電線挿入孔が設けられた器体を備え、前記器体の内部には、前記電線挿入孔に挿入される前記配線用電線が接触導通する端子板と、前記端子板との間で前記配線用電線を挟持して抜け止めする鎖錠部と、前記鎖錠部による前記配線用電線の抜け止めを解除する解除部が設けられ、前記器体の前記一面には、前記解除部を操作するための工具が挿入される解除孔が設けられ、前記ケースには、前記器体の前記一面を外部に臨ませる窓孔が設けられ、前記窓孔に、少なくとも前記器体の前記一面側の端部が挿入されることを特徴とする。
【０００９】
この分電盤において、前記ケースには、前記窓孔の内周壁と一体に形成されて前記工具の先端部を前記解除孔に案内するためのテーパを有するリブが設けられることが好ましい。
【発明の効果】
【００１０】
本発明は、端子部の解除釦をマイナスドライバー等の工具で押圧して結線を解除する際に、端子部がケースの窓孔の内周壁に当接することで端子部の変位が規制される。したがって、端子部の変位に伴って基板へ掛かる応力を低減することができ、端子部及び基板に悪影響を与えるのを防止することができる。
【図面の簡単な説明】
【００１１】
【図１】本発明に係る分電盤の実施形態を示す要部断面図である。
【図２】同上の前面図である。
【図３】同上の端子部及び基板及びケースの斜視図である。
【図４】同上を備えた配電システムの構成を示すブロック図である。
【図５】従来の速結端子構造を有する端子部において結線を解除する際の問題点の説明図である。
【発明を実施するための形態】
【００１２】
以下、本発明に係る分電盤の実施形態について図面を用いて説明する。尚、以下の説明では、図２における上下を上下方向、紙面手前側を前方向、紙面後側を後方向と定めるものとする。本実施形態は、図１，２に示すように、内部機器（後述するＤＣ／ＤＣコンバータＡ１やＡＣ／ＤＣコンバータＡ２等）を収納する直方体状の盤本体１と、各々外部負荷（後述する直流負荷Ｃ）への配線用電線が接続される複数（本実施形態では３つ）の端子部２とを備える。また、本実施形態は、各端子部２が実装される基板３と、盤本体１に収納されるとともに各端子部２及び基板３を内部に収納するケース４とを備える。尚、盤本体１には、その前面を覆う扉体が設けられているが、ここでは図示を省略している。
【００１３】
本実施形態は、直流分電盤Ａを構成するもので、図４に示すように、直流電力源としての太陽電池ＰＶに接続されるＤＣ／ＤＣコンバータＡ１と、交流電力源としての商用電源ＡＣに接続されるＡＣ／ＤＣコンバータＡ２と、蓄電池ＢＴとを備える。また、ＤＣ／ＤＣコンバータＡ１、ＡＣ／ＤＣコンバータＡ２に分岐接続された保護回路としての複数（図示では３つ）のプロテクタＡ４と、直流分電盤Ａを構成する盤本体１から導出された直流負荷Ｃ用の直流給電路Ｌａ（配線用電線）とを具備している。更に、直流分電盤Ａの各部の動作を制御する制御部Ａ５と、所定の操作に応じて直流分電盤Ａの動作状態等の各種情報を表示する操作表示部Ａ６とを具備している。
【００１４】
本実施形態を用いた配電システムは、図４に示すように、直流給電路Ｌａを介して各直流負荷Ｃに直流電力を配電する前述の直流分電盤Ａと、交流給電路Ｌｂを介して交流負荷に交流電力を配電する交流分電盤Ｂとを備えている。交流分電盤Ｂは、入力端に商用電源ＡＣとパワーコンディショナＰＣとが接続され、出力端に交流給電路Ｌｂと直流分電盤Ａとが接続されている。交流分電盤Ｂは、商用電源ＡＣ又はパワーコンディショナＰＣから供給される交流電力を分岐して、交流給電路Ｌｂと直流分電盤Ａとに交流電力を出力する。
【００１５】
配電システムの直流電力源としては、太陽電池ＰＶと蓄電池ＢＴとを備えている。太陽電池ＰＶは、太陽光を受光して光電変換することで発電を行って直流電力を出力するものである。蓄電池ＢＴは、直流電力の蓄積及び蓄積した直流電力の出力が可能な二次電池から構成されており、予備電源として用いられる。尚、本実施形態では蓄電池ＢＴが盤本体１内に収納されているが、外部に増設して付加電源として用いることも可能である。直流分電盤Ａは、入力端に太陽電池ＰＶと交流分電盤Ｂとが接続され、出力端に複数系統（本実施形態では３系統）に分岐する直流給電路Ｌａが接続されている。
【００１６】
太陽電池ＰＶの出力線路は２つに分岐され、パワーコンディショナＰＣと直流分電盤ＡのＤＣ／ＤＣコンバータＡ１とが並列に接続されている。パワーコンディショナＰＣは、太陽電池ＰＶの直流出力を昇圧する昇圧チョッパ回路（図示せず）、昇圧された直流出力を商用電源ＡＣの位相に同期した正弦波の交流出力に変換するインバータ（図示せず）を備える。また、インバータを制御することで交流出力を調整するインバータ制御回路（図示せず）と、系統連系保護装置等を有している。而して、パワーコンディショナＰＣは、太陽電池ＰＶから出力される直流電力を商用電源ＡＣの位相に同期した交流電力に変換して出力し、変換された交流電力を商用電源ＡＣに逆潮流する。
【００１７】
ＤＣ／ＤＣコンバータＡ１は、例えばスイッチングレギュレータ等により構成され、太陽電池ＰＶから出力される直流電力を所望の電圧レベルに変換して出力する。即ち、出力電圧を検出するとともに検出した出力電圧が目標電圧と一致するように出力電圧を増減するフィードバック制御を行う定電圧制御方式である。ＡＣ／ＤＣコンバータＡ２は、例えばスイッチングレギュレータ、インバータ等により構成され、交流分電盤Ｂから供給される交流電力を所望の電圧レベルの直流電力に変換して出力する。即ち、交流電圧を直流電圧に整流し、上述のフィードバック制御を行う定電圧制御方式である。
【００１８】
ＤＣ／ＤＣコンバータＡ１、ＡＣ／ＤＣコンバータＡ２の各出力端は並列に接続され、電流ヒューズ等から成る各プロテクタＡ４を介して各直流給電路Ｌａと接続される。そして、各コンバータＡ１，Ａ２で所望の電圧レベルに変換された直流電力のうち、何れかの直流電力が直流給電路Ｌａを介して直流負荷Ｃに供給される。
【００１９】
制御部Ａ５は、マイクロコンピュータ等を有して成る情報処理装置により構成され、各コンバータＡ１，Ａ２のオン／オフ制御、並びに出力電圧制御を行うとともに、操作表示部Ａ６の表示制御を行う。操作表示部Ａ６は、液晶表示装置等により構成され、制御部Ａ５の指示に基づいて文字、数字、画像等によって直流分電盤Ａの動作状態等の各種情報を表示する。また、押釦等から成る操作部を有しており、操作部を介して運転、異常の状況、各計測項目、異常履歴の表示、時計の設定等を行うことができる。尚、操作部としては、本実施形態のように直流分電盤Ａに表示装置と一体に取付けたものだけではなく、遠隔操作部（例えば、リモコンや家庭内のパソコン等）を用いて直流電力線通信用端子（図示せず）を介して上記設定を行うようにしてもよい。
【００２０】
ここで、図２，４に示すように、盤本体１には、直流分電盤Ａと交流分電盤Ｂとを接続するための第１の端子台５と、直流分電盤Ａと太陽電池ＰＶとを接続するための第２の端子台６とが収納されている。これら端子台５，６は、図示しないが何れもねじ付端子を有したねじ式端子台である。一方、端子部２は、第１の端子台５及び第２の端子台６とは異なり速結端子構造となっている。このように、交流分電盤Ｂの出力線路が接続される第１の端子台５、及び太陽電池ＰＶの出力線路が接続される第２の端子台６と、直流負荷Ｃへの直流給電路が接続される端子部２とが一見して識別できるようになっている。而して、各端子台５，６、端子部２に配線する際に、誤って配線するのを回避することができる。尚、各端子台５，６の識別を容易にするために、各端子台５，６を互いに異なる形状又は色で構成してもよい。
【００２１】
以下、本実施形態の端子部２及び基板３、並びにケース４について図面を用いて説明する。端子部２は、速結端子構造を有し、図１〜３に示すように、その前面に直流給電路Ｌａの配線用電線が挿入される１対の円形状の電線挿入孔２１が設けられた箱体から成る器体２０を備えている。器体２０の内部には、電線挿入孔２１に挿入される配線用電線が接触導通する端子板（図示せず）と、端子板との間で配線用電線を挟持して抜け止めする鎖錠ばねから成る鎖錠部（図示せず）とが設けられている。また、器体２０の内部には、鎖錠部による配線用電線の抜け止めを解除する解除釦から成る解除部（図示せず）が設けられており、この解除釦を押圧操作するための工具Ｔ（図５参照）が挿入される矩形状の解除孔２２が器体２０の前面に設けられている。而して、この解除孔２２に例えばマイナスドライバー等の工具Ｔを挿入し、その先端部で解除釦を押圧することで鎖錠ばねによる配線用電線の抜け止めを解除することができるようになっている。
【００２２】
各端子部２は、図１，３に示すように、矩形状のプリント配線板から成る基板３の前面に実装されており、これら各端子部２及び基板３がケース４に収納されている。ケース４の前面には、図１，３に示すように、各端子部２の前面を外部に臨ませる複数（図示では３つ）の矩形状の窓孔４０が設けられている。而して、これら窓孔４０を通して各端子部２の電線挿入孔２１及び解除孔２２が外部に露出する。ここで、各端子部２の器体２０は、電線挿入孔２１及び解除孔２２が設けられた前面側の端部（前端部）の上下方向の寸法が他の部位の上下方向の寸法よりも小さくなっている。そして、ケース４の各窓孔４０は、各端子部２の前端部のみが挿入可能な寸法で形成されている。このため、仮に各端子部２に応力が掛かり各端子部２が変位しようとすると、各端子部２の前端部が各窓孔４０の内周壁に当接するため、各端子部２の変位が規制される。
【００２３】
上述のように、各端子部２の解除釦を工具Ｔで押圧して結線を解除する際に、各端子部２の前端部がケース４の各窓孔４０の内周壁に当接することで、各端子部２の変位が規制される。したがって、各端子部２の変位に伴って基板３へ掛かる応力を低減することができ、各端子部２及び基板３に悪影響を与えるのを防止することができる。また、配線用電線を各端子部２に結線する際に、配線用電線の電線挿入孔２１への挿入に伴って各端子部２に応力が掛かっても、各端子部２の変位が規制されていることから、各端子部２及び基板３に悪影響を与えるのを防止することができる。
【００２４】
また、本実施形態では、図１，３に示すように、ケース４には、各窓孔４０の内周壁と一体に形成されて工具Ｔの先端部を各端子部２の解除孔２２に案内するためのテーパ４１ａを有するリブ４１が設けられている。而して、各端子部２の解除釦を工具Ｔで押圧して結線を解除する際に、工具Ｔの先端部を各テーパ４１ａに沿わせることで各解除孔２２に容易に挿入することができるので、施工性を向上させることができる。また、各リブ４１は各窓孔４０の内周壁と一体に形成されていることから、各窓孔４０の内周壁の強度を高めることができる。
【符号の説明】
【００２５】
１  盤本体
２  端子部
２０  器体
２１  電線挿入孔
２２  解除孔
３  基板
４  ケース
４０  窓孔
４１  リブ
４１ａ  テーパ
Ａ１  ＤＣ／ＤＣコンバータ（内部機器）
Ａ２  ＡＣ／ＤＣコンバータ（内部機器）
Ａ３  蓄電池（内部機器）
Ｃ  直流負荷（外部負荷）
Ｌａ  直流給電路（配線用電線）
Ｔ  工具
【図１】
2011234440.tif 000003
【図２】
2011234440.tif 000004
【図３】
2011234440.tif 000005
【図４】
2011234440.tif 000006
【図５】
2011234440.tif 000007